(57)【要約】【課題】振動板の振動面積を確保することによって低域の音質を向上させることができるスピーカの取付構造を提供することを課題とする。【解決手段】バッフル板のスピーカ取付用孔の周縁部に、固定ねじにより固定されこの固定ねじの頭部に向けて付勢されたスペーサを配設するとともに、フランジ部に固定ねじの頭部を係合させる固定用孔を形成し、フランジ部の固定用孔を固定ねじに係合させてフランジ部を固定ねじの頭部と前記スペーサとにより挟持して固定する。【選択図】図１
2005318239.tif 000002
【特許請求の範囲】
【請求項１】
前方に向かって拡開し外周縁にフランジ部が形成されたフレームを備えたスピーカを、バッフル板のスピーカ取付用孔に取付けるためのスピーカの取付構造において、
前記バッフル板のスピーカ取付用孔の周縁部に、固定ねじにより固定されこの固定ねじの頭部に向けて付勢されたスペーサを配設するとともに、前記フランジ部に前記固定ねじの頭部を係合させる固定用孔を形成し、前記フランジ部の固定用孔を前記固定ねじに係合させて前記フランジ部を前記固定ねじの頭部と前記スペーサとにより挟持して固定することを特徴とするスピーカの取付構造。
【請求項２】
前記スペーサは、スプリングが介在された２枚のスペーサ板から構成されていることを特徴とする請求項１記載のスピーカの取付構造。
【請求項３】
前記固定用孔は、前記固定ねじの頭部が通過する大径部と、この大径部に連接し前記固定ねじの軸部が通過する小径部とから構成されていることを特徴とする請求項１又は２に記載のスピーカの取付構造。
【請求項４】
前記バッフル板に、前記フレーム受け用凹部が形成されていることを特徴とする請求項１〜３のいずれか一項に記載のスピーカの取付構造。
【発明の詳細な説明】
【技術分野】
【０００１】
本発明は、スピーカの取付構造に関する。
【背景技術】
【０００２】
従来から、車両には、カーステレオ等の車載オーディオシステムが搭載されている。車載オーディオシステムは、ＣＤプレイヤ、ラジオ、ＭＤプレイヤ、カセットデッキ等の各種オーディオ機器から出力された音声信号をアンプにより増幅して、スピーカより音声として出力するようになっている。
【０００３】
このような車載オーディオシステムのスピーカの取付構造としては、エッジロール外周部とバッフル板との間にフレームのフランジ部を介在させて、スピーカをねじによってバッフル板に固定する構造が知られていた（特許文献１参照）。
【０００４】
図６はこのような従来のスピーカの取付構造を示したものであり、前面に向かって拡開されたフレーム５０の基部には、マグネット５１をトッププレート５２およびヨーク５３により挟み込んで構成された磁気回路５４が取付けられており、この磁気回路５４の磁気ギャップ５５には、ボイスコイル５６が装着されている。フレーム５０の前面側には、ボイスコイル５６を介して振動される振動板５７が取付けられており、この振動板５７の外周縁とフレーム５０のフランジ部５８とは、エッジロール５９により接続されている。
そして、このような構成のスピーカを取付ける場合は、所定のバッフル板６０にフレーム５０を設置した状態で、フランジ部５８およびバッフル板６０に形成されたねじ穴６１にねじ６２を螺入させることにより、スピーカのフレーム５０を固定するようになっている。
【特許文献１】特開平１０−７６８８３号公報
【発明の開示】
【発明が解決しようとする課題】
【０００５】
しかし、前述のスピーカ取付構造では、エッジロール５９の外周部に形成されたねじ穴６１を貫通するねじ６２によってスピーカをバッフル板６０に固定するものであるため、エッジロール５９の外周部をフレーム５０のフランジ部５８より大きくすることができない。そのため、振動板５７の外径も、エッジロール５９の分だけ小さくなる。このように振動板５７の外径が小さくなると、振動面積が小さくなるため、低域の再生周波数を下げることができず、低域の音質を向上させることができないという問題があった。
また、スピーカを正面から見た場合、ねじ６２が完全に見えてしまい、外観上も美観が損なわれるという問題もあった。
【０００６】
本発明は上述した点に鑑みてなされたものであり、振動板の外径を大きく確保することができ、振動板の振動面積を確保することによって低域の音質を向上させることができ、しかも、外観上も美観に優れたスピーカを提供することを目的とするものである。
【課題を解決するための手段】
【０００７】
上記課題を解決するため、請求項１記載の発明は、前方に向かって拡開し外周縁にフランジ部が形成されたフレームを備えたスピーカを、バッフル板のスピーカ取付用孔に取付けるためのスピーカの取付構造において、前記バッフル板のスピーカ取付用孔の周縁部に、固定ねじにより固定されこの固定ねじの頭部に向けて付勢されたスペーサを配設するとともに、前記フランジ部に前記固定ねじの頭部を係合させる固定用孔を形成し、前記フランジ部の固定用孔を前記固定ねじに係合させて前記フランジ部を前記固定ねじの頭部と前記スペーサとにより挟持して固定することを特徴とする。
【０００８】
請求項２記載の発明は、請求項１に記載のスピーカの取付構造において、前記スペーサは、スプリングが介在された２枚のスペーサ板から構成されていることを特徴とする。
【０００９】
請求項３記載の発明は、請求項１又は２に記載のスピーカの取付構造において、前記固定用孔は、前記固定ねじの頭部が通過する大径部と、この大径部に連接し前記固定ねじの軸部が通過する小径部とから構成されていることを特徴とする。
【００１０】
請求項４記載の発明は、請求項１〜３のいずれか一項に記載のスピーカの取付構造において、前記バッフル板に、前記フレーム受け用凹部が形成されていることを特徴とする。
【発明の効果】
【００１１】
本発明のスピーカの取付構造によれば、同口径のスピーカで振動面積を大きくすることができ、低音域の音質を著しく向上させることができる。しかも、外観上も美観に優れたスピーカを得ることができる。
【発明を実施するための最良の形態】
【００１２】
以下、本発明の実施形態について、図面を参照して説明する。
【００１３】
図１は本発明に係るスピーカ取付構造の実施の形態を示す縦断面図である。本実施形態のスピーカは、前方に向かって拡開するフレーム１を備えており、このフレーム１は、平面状の基部２と、外周縁に形成された取付用フランジ部３とを備えている。
【００１４】
フレームの基部２の後面側には、磁気回路７が取付けられている。この磁気回路７は、円板状を有し中心部分に前方に突出する凸部８が形成されたヨーク９を備えており、このヨークの凸部８には、軸方向に貫通する孔部１０が形成されている。ヨーク９の前側であって凸部８の外周側には、環状のトッププレート１１がヨークの凸部８との間に磁気ギャップ１２を有するように配設されており、ヨーク９とトッププレート１１との間には、環状のマグネット１３が配設されている。
【００１５】
このように構成された磁気回路７の磁気ギャップ部分１２には、筒状のボイスコイル１４が装着されており、このボイスコイル１４の外周面とフレーム１の内側面との間には、ボイスコイル１４を支持するダンパ１５が配設されている。
【００１６】
また、ボイスコイル１４の磁気ギャップ１２の外方部分には、前方に向かって拡開する振動板４が支持されており、振動板４の中央部分には、ボイスコイル１４を被覆するダストキャップ１６が取付けられている。また、振動板４の外周縁部には、断面形状半円形状のエッジロール６がエッジ５を介して取付けられており、エッジロール６の外周縁部は、前記フレーム１のフランジ部３に接着結合されている。
【００１７】
また、フレーム１の後面側には、所定の電気配線を接続するための端子１７が固着されており、この端子１７には、リード線（図示せず）を介してボイスコイル１４が電気的に接続されている。一般的にリード線は、ボイスコイル１４の外周面上に沿って引出され、さらに振動板４の上面側に沿って引出されて振動板４の中途部で錦糸線１８に接続され、錦糸線１８は振動板４の下面側に貫通して端子１７と接続されるようになっている。そして、端子１７から入力される電気信号によりボイスコイル１４に電流が流れ、磁気ギャップ１２に配置されたボイスコイル１４に発生する駆動力によって振動板４に伝達されて、振動板４を振動させるようになっている。
【００１８】
また、前記フレーム１のフランジ部３であってエッジロール６の内側位置には、４つの固定用孔３１が周方向にほぼ等間隔となるように形成されている。図２に示すように、この固定用孔３１は、固定ねじ２３の頭部が通過する大径部と、この大径部に連接して周方向に沿って延在し固定ねじ２３の軸部が通過する小径部とから構成されている。また、フレーム１のフランジ部３の外周縁部には、後方に延在する支持片が形成されている。
【００１９】
スピーカを取付けるためのバッフル板２０には、スピーカ取付用孔４０が穿設されており、バッフル板２０のスピーカ取付用孔４０の外周縁部分には、環状のスペーサ１９が配設されている。また、環状のスペーサ１９が配設されている外周部には、フレーム受け用凹部２２が周方向に沿って形成されており、フレーム１のフランジ部３に形成された支持片を収容できるようになっている。
【００２０】
図３に示すように、スペーサ１９は、環状の２枚のスペーサ板を備えている。図４に示すように、各スペーサ板の互いに対向する面には、複数のばね挿入孔２５が周方向に所定間隔を有するように形成されており、図５に示すように、各ばね挿入孔２５には、各スペーサ板を互いに離隔する方向に付勢する複数のスプリング２４が配設されている。これら各スプリング２４は、圧入又は接着剤等により固定されている。なお、スペーサ１９が樹脂でスプリング２４が金属である場合は、高周波溶着によりスペーサ１９に固定することも可能である。
【００２１】
また、図４に示すように、各スペーサ板の互いに対応する位置には、４つのねじ挿入孔２６がフレーム１のフランジ部３に形成された各固定用孔３１に対応するように形成されている。そして、このねじ挿入孔２６に固定ねじ２３を挿入し、バッフル板２０のスピーカ取付用孔４０の外周縁部分に締め付けることにより、スペーサ１９をバッフル板２０に固定するようになっている。このスペーサ１９は、フレーム１のフランジ部３の支持片の内側部分に位置するようになっている。
【００２２】
次に、本実施形態の作用について説明する。
【００２３】
本実施形態のスピーカを取付ける場合は、まず、スピーカのフレーム１を、バッフル板２０のスピーカ取付孔４０に、磁気回路７がバッフル板２０の内部に位置するとともに、フレーム１のフランジ部３の固定用孔３１の大径部と固定ねじ２３とが重なるように設置する。
【００２４】
次に、フレーム１のフランジ部３の固定用孔３１の大径部を固定ねじ２３の頭部に挿入させ、スペーサ１９の上側のスペーサ板をスプリング２４の付勢力に抗して下方に押圧する。この時、フレーム１のフランジ部３の支持片がフレーム受け用凹部２２に収容されることにより、フレームは下方に押し下げられる。そして、この状態でフレーム１を回転させることにより、固定ねじ２３の軸部を固定用孔３１の小径部に移動させる。
【００２５】
この状態で、フレーム１のフランジ部３の下方への押圧力を解除すると、スプリング２４の付勢力により上側のスペーサ板がフランジ部３の方向に戻り、フレーム１のフランジ部３は、スペーサ１９と固定ねじ２３の頭部とにより挟持されて固定される。
【００２６】
このようなスピーカの取付構造によれば、フレーム１のフランジ部３を上方から押して回転させることによって、スピーカがバッフル板２０に固定させることができるため、固定ねじ２３を螺合させるための空間を確保する必要がなく、フランジ部３を被覆する位置まで、エッジロール６を配置することができる。したがって、振動板４の外径を大きく確保することができる。
【００２７】
以上述べたように本発明におけるスピーカの取付構造によれば、振動板４の外径を大きく確保することができるため、振動板４における振動面積を大きく形成することができ、その結果、低域の再生周波数を下げることが可能となり、低音域の音質を著しく向上させることができるという効果を奏する。しかも、エッジロール６によりフランジ部３すなわち固定ねじ２３が被覆されることから、外観上も美観に優れたスピーカを得ることができる。
【図面の簡単な説明】
【００２８】
【図１】本発明の実施形態におけるスピーカの構造の一例を示す半断面図である。
【図２】本発明の実施形態におけるフレームのフランジ部を示す平面図である。
【図３】本発明の実施形態におけるスペーサを示す断面図である。
【図４】本発明の実施形態におけるスペーサを示す平面図である。
【図５】本発明の実施形態におけるスペーサのねじ取付部分を示す一部断面図である。
【図６】従来のスピーカの構造の一例を示す半断面図である。
【符号の説明】
【００２９】
１  フレーム
２  フレーム基部
３  取付用フランジ部
４  振動板
５  エッジ
６  エッジロール
７  磁気回路
８  ヨーク凸部
９  ヨーク
１０  ヨーク孔部
１１  トッププレート
１２  磁気ギャップ
１３  マグネット
１４  ボイスコイル
１５  ダンパ
１６  ダストキャップ
１７  端子
１８  錦糸線
１９  スペーサ
２０  バッフル板
２１  ねじ穴
２２  フレーム受用凹部
２３  ねじ
２４  スプリング
２５  スプリング挿入孔
２６  ねじ取付孔
３１  固定用孔
４０  スピーカ取付用孔
５０  フレーム
５１  マグネット
５２  トッププレート
５３  ヨーク
５４  磁気回路
５５  磁気ギャップ
５６  ボイスコイル
５７  振動板
５８  フランジ部
５９  エッジロール
６０  バッフル
６１  ねじ穴
６２  ねじ
７０  スピーカ取付用孔
【図１】
2005318239.tif 000003
【図２】
2005318239.tif 000004
【図３】
2005318239.tif 000005
【図４】
2005318239.tif 000006
【図５】
2005318239.tif 000007
【図６】
2005318239.tif 000008